(57)【要約】課題:新しいデザインとして、装飾品の一部を稼動可能にする場合、いたずらに複雑な機構になりがちであり、強度、スムーズな動きの点から指輪などサイズが小さい装飾品に応用することは難しかった。解決手段：本発明はサイズが小さくても、シンプルな構造と強度を持つ花が開く装飾品を提供する為に以下の構造とした。計算されたカーブ面（２）を持ち、互いに同期して動くように回転対象位置に重なり合うように配置し可動する花弁状部品群（１）の一つを回転ノブ（１１）により開閉させ、他の花弁状部品（１）に同期して花の開閉の動きを確実にスムーズに伝える構造。【選択図】図１
2014175461.tif 000002
【特許請求の範囲】
【請求項１】
同一の球面をバタフライ形状にカットし（図３）、尾翼下部面に水平接線方向を軸とする回転機構を持たせ先の球面を中心として左翼上面に右翼下面が重なり接するように複数個回転対象位置に配置（図５）した稼働ベース部群（２）と、それぞれの稼働ベース部群（図１２−２）に同架する花弁状開閉部品群（図１２−１）からなり、稼働ベース部群（２）の一つだけを尾翼下部に設けた回転機構により回転運動させると一体構造のそれぞれの稼働ベース部群（２）、花弁状開閉部品群（１）に同期して回転運動を確実にスムーズに伝えることができ、全体として花弁状開閉部品群（１）が一体となって花が開閉するように形状変化させることを特徴とする装身具・装飾品。
【請求項２】
請求項１の装身具・装飾品で、指輪などの小サイズのもの（図１、図２）に対応する為に、同期して開閉運動を伝達する互いに接する左翼上面と右翼下面の曲面形状は保持しながら、左翼下面、右翼上面、尾翼部の厚さを増強して補強構造（図７、図８）とすることを特徴とする装身具・装飾品。
【請求項３】
請求項１、２の装身具・装飾品で、稼働ベース部群（２）とそれぞれに同架する花弁状開閉部品群（１）の周りを次々に取り囲むように新たな複数の稼働ベース部群（２）と、それぞれの稼働ベース部郡（２）に同架する花弁状開閉部品群（１）を配置し（図１５）、複数重の花が開閉するような効果を演出することを特徴とする装身具・装飾品。
【請求項４】
請求項１、２、又は３の装身具・装飾品で、稼働ベース部群（２）のいくつかを筐体（５）下部に設けた回転部（９）の水平回転運動により稼働ベース部群（２）に設けた回転軸を中心として開閉運動させ、全体として花弁状開閉部品群（１）が一体となって花が開閉するように形状変化させることを特徴とする装身具・装飾品。
【請求項５】
請求項１、２、３又は４の装身具・装飾品で、
回転部（９）の動きを、筐体（５）内部に仕込んだトーションバネ（８）と回転ストッパー解除ボタン（１６）で制御し、マニュアルで回転ノブを回転させて花を窄めると回転ストッパー解除ボタン（１６）で固定される構造として、回転ストッパー（１５）を解除するとぱっと花が拡がる演出を提供することを特徴とする装身具・装飾品。
【発明の詳細な説明】
【技術分野】
【０００１】
本発明は、シンプルな構造で花が開閉する形状の装身具・装飾品に関するものである。
【背景技術】
【０００２】
従来の装身具・装飾品は、装飾をほどこした貴金属或いは貴金属と台座に固定して留められた宝石との組み合わせからなっていた。このため、デザインは固定的となり、身につける人／周囲の人にもサプライズがないデザインに留まっていた。
【発明の概要】
【発明が解決しようとする課題】
【０００３】
宝飾品のデザインは伝統的でかつ固定式という観念に縛られ、サプライズを与えるような斬新なデザインが見られなかった。
一方、装飾品の一部を花が開閉する稼動式にする場合、いたずらに複雑な機構になり、強度、スムーズな動きの点から指輪などサイズが小さい装飾品に応用することは難しかった。
【課題を解決するための手段】
【０００４】
本発明は、シンプルな構造で花が開閉する形状の装身具・装飾品を提供するために、花弁状の部品を稼動するベース部の形状、配置、耐久性を以下のようにした。
これにより、シンプルな構造でありながら花弁状部品を稼動するベース部どうしの表面が常に接して互いに同期して開閉する伝達方式が可能になった。【０００５】
・花弁状の部品を稼動するベース部：
１．形状：
球面（図3）を切り取ったバタフライ形状（図４）（隣の部品とスムーズな連携ができるように腕を左右に持たせている）を基本とした。【０００６】
２．配置：
上記１で、バタフライ部品を切り取った元の球面中心から程よく芯をはずした点を中心として環状に配置して、閉じた時（図5）、開いたとき（図６）にかかわらず隣り合うバタフライ部品が互いに刺身状に重なり合い接する配置とした。【０００７】
３．耐久性：
上記２で、隣り合うバタフライ部品が表面／裏面で接する部分以外は厚みを持たせて、小さい装飾品にも応用ができる強度をもたせた形状（図７）（図８）とした。
【発明の効果】
【０００８】
本発明により、シンプルな構造で花が開閉する形状を有する装身具・装飾品を、指輪などの小さい装飾品から、ブローチ、オブジェなどの大きい装飾品まで幅広い範囲に適用ができ、新しいデザインラインを創造し、人々の目を楽しませ、サプライズを与えることが出来る。
【図面の簡単な説明】
【０００９】
【図１】指輪としての応用例で花が開いた形態を示す
【図２】指輪としての応用例で花が閉じた形態を示す
【図３】花弁状の部品を稼動するベース部：球面を切り取り
【図４】花弁状の部品を稼動するベース部：バタフライ形状
【図５】花弁状の部品を稼動するベース部：配置  ( 閉じたとき)
【図６】花弁状の部品を稼動するベース部：配置  (開いたとき)
【図７】花弁状の部品を稼動するベース部：強度アップ対応 ( 閉じたとき)
【図８】花弁状の部品を稼動するベース部：強度アップ対応 (開いたとき)
【図９】指輪としての応用で花が閉じた形態の上部を示す。（鳥瞰組図）
【図１０】指輪としての応用で花が閉じた形態の中間部を示す。（鳥瞰組図）
【図１１】指輪としての応用で花が閉じた形態の下部を示す。（鳥瞰組図）
【図１２】指輪としての応用でストッパーを解除し、花が開いた形態の上部を示す。（鳥瞰組図）
【図１３】指輪としての応用でストッパーを解除し、花が開いた形態の中間部を示す。（鳥瞰組図）
【図１４】指輪としての応用でストッパーを解除し、花が開いた形態の下部を示す。（鳥瞰組図）
【図１５】ブローチへの応用で二重構造の花が開いた形態を示す。
【発明を実施するための形態】
【００１０】
本発明の花弁状開閉部品の稼働ベース群（２）は計算されたカーブ面を持ち、互いに同期して動くように回転対象位置に重なり合うように配置され、可動する花弁状開閉部品群（１）の一つを回転ノブ（１１）により開閉させると、ギアなどの複雑な伝達機能を要することなく、他の花弁状開閉部品（１）に同期した花の開閉の動きを確実にスムーズに伝えることができる。この構造により、開閉するという機能を提供しながらも、装飾体を構成する部品数を少なくし、シンプルな構造とすることに成功している。
花弁状開閉部品群（１）の球状の面にダイヤなどでパベを施せば、華やかな装飾的装身具となる。
【００１１】
ぱっと花が拡がる演出を提供するために、筐体（５）内部にトーションバネ（８）を仕込み、回転ストッパー（１５）を解除すると花が拡がり、マニュアルで回転ノブ（１１）を回転させて花を窄めると回転ストッパー（１５）で固定される構造とした。
【００１２】
花が開いたときの演出効果を増大するために、装飾品の中央部に華やかなセンターカット石（１８）、メレダイヤ（１９）等を配置する形態とした。
【実施例】
【００１３】
指輪実施例としては、図１、２、９〜１４を参照願う。【００１４】
ブローチでの実施例としては図１５を参照願う。
【産業上の利用可能性】
【００１５】
装身具、装飾品、オブジェ、パッケージ等への応用が可能。
【符号の説明】
【００１６】
１  花弁状開閉部品
２  花弁状開閉部品の稼動ベース
３  花弁状開閉部品開閉用ポール
４  開閉シャフト
５  筐体
６  筐体  花弁状開閉部品の稼動ベース受け   
７  筐体  シャフト受け  
８  トーションバネ
９   回転部
１０  回転部  花弁用部品開閉用ポール受け溝
１１  回転部  回転ノブ
１２  回転部  トーションバネ受け
１３  回転部  回転ストッパー受け穴
１４  回転ストッパー用キャップ
１５  回転ストッパー
１６  回転ストッパー解除ボタン
１７  回転ストッパー解除ボタン押し上げコイルバネ
１８  センターカット宝石
１９  メレダイヤ
２０  筐体受け
２１  装飾品本体（リング）
【図１】
2014175461.tif 000003
【図２】
2014175461.tif 000004
【図３】
2014175461.tif 000005
【図４】
2014175461.tif 000006
【図５】
2014175461.tif 000007
【図６】
2014175461.tif 000008
【図７】
2014175461.tif 000009
【図８】
2014175461.tif 000010
【図９】
2014175461.tif 000011
【図１０】
2014175461.tif 000012
【図１１】
2014175461.tif 000013
【図１２】
2014175461.tif 000014
【図１３】
2014175461.tif 000015
【図１４】
2014175461.tif 000016
【図１５】
2014175461.tif 000017
【国際調査報告】
2014175461.tif 000018
2014175461.tif 000019